(57)【要約】【課題】本体ケースに載置固定される枠体に天板を着脱自在に取り付けるようにして、修理の際に天板の交換が容易な加熱調理器を得ることを目的とする。【解決手段】上面が開口する上部本体ケース３と、該上部本体ケース内で開口位置に配設された３個の加熱用コイル２２と、該上部本体ケースの上面に配設されるセラミックス材より成る平面上の天板３０とを備えてなる加熱調理器において、上部本体ケースに載置可能な枠体３１に適宜間隔を置いて取り付けた複数の天板保持受具３４に天板の外周縁を複数の取付ネジ３８により着脱自在に取り付けて上部本体ケースに載置する天板組立体４１を形成するようにした。【選択図】　　　　図１
2004055245.tif 000002
【特許請求の範囲】
【請求項１】
上面に開口部を有する本体ケースと、該本体ケース内で開口位置に配設された複数の加熱用コイルと、該本体ケースの上面に配設されるセラミックス材より成る平板状の天板とを備えてなる加熱調理器において、
前記本体ケースに載置可能な枠体に前記天板の外周縁を保持手段により着脱自在に取り付けて天板組立体を形成したことを特徴とする加熱調理器。
【請求項２】
前記保持手段は前記枠体に当接された前記天板の外周縁を押える押え部と、該押え部に連設され、取付ネジにより前記枠体に着脱自在に取り付られる固定部とを有する天板保持具であることを特徴とする請求項１記載の加熱調理器。
【請求項３】
前記天板の外周縁と前記枠体との間にシール用クッション部材を介在させたことを特徴とする請求項１又は２のいずれかに記載の加熱調理器。
【請求項４】
上面に開口部を有する本体ケースと、該本体ケース内で開口位置に配設された複数の加熱用コイルと、該本体ケースの上面に配設されるセラミックス材より成る平板状の天板とを備えてなる加熱調理器において、
前記天板の外周縁に取付ネジより外径の大きい口径の複数の取付穴を形成し、前記本体ケースに載置可能な枠体に該天板の外周縁を該取付ネジを該取付穴に遊嵌状態に貫通させてネジ止めしたことを特徴とする加熱調理器。
【請求項５】
前記天板の外周縁と前記枠体との間にシール用クッション部材を介在させたことを特徴とする請求項４記載の加熱調理器。
【請求項６】
前記本体ケースの上面に開口部を閉口する中間プレートを載置固定したことを特徴とする請求項１〜５のいずれかに記載の加熱調理器。
【請求項７】
前記中間プレートはガラス等より成るセラミックス材であることを特徴とする請求項６記載の加熱調理器。
【請求項８】
前記中間プレートは複数のコイル用開口窓を有する導電材の遮断プレートと、遮断プレートの各コイル用開口窓を閉口するガラス等より成るセラミックス材で形成されたシール用プレートとからなることを特徴とする請求項６記載の加熱調理器。
【請求項９】
前記天板組立体の枠体の外側端部に該天板組立体の厚さより長くした載置フランジを設け、該載置フランジを流し台に載置させるようにしたことを特徴とする請求項１〜８のいずれかに記載の加熱調理器。
【請求項１０】
前記本体ケース内で中間プレートの直下位置に表示部を配設したことを特徴とする請求項６〜９のいずれかに記載の加熱調理器。
【発明の詳細な説明】
【０００１】
【発明の属する技術分野】
本発明は加熱調理器、特にその組立容易な加熱調理器に関するものである。
【０００２】
【従来の技術】
図１８は例えば特許第３０２４５６４号公報に開示されている従来の誘導加熱調理器の構成を示す断面図である。
図において、本体外枠１１２の上面には、調理容器１１５を載置する結晶化ガラス等の無機材料から成るトッププレート１１１を、接着剤を塗布した接合部１１３によって固定している。本体外枠１１２内には、高周波磁界を発生する誘導加熱コイル１１７，誘導加熱コイル１１７に高周波電流を供給する制御回路１１８，冷却ファン１１６を配置している。また、接合部１１３には、冷却部として、トッププレート１１１との隙間がトッププレート１１１を接着した接着剤塗布部より大となるように形成した屈曲形状部１１４を設けている。
【０００３】
従来の誘導加熱調理器は上記のように構成されており、図示していないスタートボタンを押すと、制御回路１１８が作動を開始して誘導加熱コイル１１７に高周波電流の供給を開始する。誘導加熱コイル１１７が発生する高周波磁界がトッププレート１１１上に載置した調理容器１１５に鎖交すると、調理容器１１５が誘導加熱され発熱する。こうして調理容器１１５内に収容した調理物は調理される。この調理期間中は冷却ファン１１６が動作しており、誘導加熱コイル１１７，制御回路１１８等の収容部品を冷却している。
また、本体外枠１１２の接合部には、冷却部として、トッププレート１１１との隙間がトッププレート１１１を接着する接着剤塗布部より大となるように形成した屈曲形状部１１４を設けているため、調理容器１１５から受ける熱伝導による影響は少なくなる。つまり、冷却ファン１１６が送風する冷却風によって接合部１１３の温度が低減され、接合部１１３付近のトッププレート１１１の割れ、クラックの発生を防止することができる。
【０００４】
【発明が解決しようとする課題】
上記のような従来の誘導加熱調理器では、本体外枠１１２の上面には、調理容器１１５を載置するトッププレート１１１を、接着剤を塗布した接合部１１３によって固定し、その接合部１１３には、冷却部として、トッププレート１１１との隙間がトッププレート１１１を接着した接着剤塗布部より大となるように形成した屈曲形状部１１４を設け、冷却ファン１１６が送風する冷却風によって接合部１１３の温度を低減し、接合部１１３付近のトッププレート１１１の割れ、クラックの発生を防止するようにしている。
しかしながら、結晶化ガラス等の無機材料から成るトッププレート１１１は耐衝撃性には比較的弱く、加熱調理中は平らなトッププレート１１１に載せられた調理容器１１５が振動したり、油炒め料理の場合、油を食材にゆきとどかすために調理容器１１５を上下動させてトッププレート１１１に当てたり、又流し台の上面にトッププレート１１１が平面状に露出しているため、食器類が落下したりしてヒビや割れが生じていた。
【０００５】
また、トッププレート１１１の一部が直接調理用鍋の高温にさらされ、トッププレート１１１が熱膨張を起こし場合に、本体外枠１１２の上面にトッププレート１１１が接着剤を塗布した接合部１１３によって固着されているため、熱膨張により生じた応力が固着部分に集中する。このとき、冷却ファン１１６が送風する冷却風によって屈曲形状部１１４を冷却して接合部１１３の温度を低減し、接合部１１３付近のトッププレート１１１の割れ、クラックの発生を防止するようにしているが、冷却ファン１１６の冷却風による冷却が不十分であると、トッププレート１１１の接着剤との固着部分にヒビや割れが生じることがある。
このようにトッププレート１１１にヒビや割れが生じると、サービス修理時にトッププレート１１１の交換が必要となるが、トッププレート１１１が接着剤により本体外枠１１２の上面に固着されているため、トッププレート１１１単体の交換ができないという問題点があった。
また、近年資源の節約という観点からリサイクル処理が行われるようになってきているが、かかるリサイクル処理の際もトッププレート１１１と本体外枠１１２の分離が困難を極めているため、リサイクル処理も困難であるという問題点があった。
【０００６】
なお、一般に、電子レンジの扉はその中央部に加熱室の内部を観察できるように多数の小孔が穿設された金属製の扉板と、この扉板の加熱室側に配置された例えば耐熱ガラスからなる内側透明板と、さらに扉板の反加熱室側に取り付けられた外側透明板とから構成され、内側透明板はその周縁部が接着剤や取付板によって扉板に固定されている。
しかし、電子レンジの扉の内側に取り付けられた内側透明板は垂直な板であり、加熱調理される調理用鍋は加熱室のターンテーブルに載置されるため、調理用鍋が垂直な板である内側透明板に直接当たることがなく、ヒビや割れを生じさせるおそれがないと共に調理鍋により高温にさらされることもないことから、修理の必要も殆どないものである。
【０００７】
本発明は、このような問題点を解決するためになされたものであり、本体ケースに載置固定される枠体に天板を着脱自在に取り付けるようにして、修理の際に天板の交換が容易な加熱調理器を得ることを目的とする。
【０００８】
【課題を解決するための手段】
本発明の請求項１に係る加熱調理器は、上面に開口部を有する本体ケースと、該本体ケース内で開口位置に配設された複数の加熱用コイルと、該本体ケースの上面に配設されるセラミックス材より成る平板状の天板とを備えてなる加熱調理器において、前記本体ケースに載置可能な枠体に前記天板の外周縁を保持手段により着脱自在に取り付けて天板組立体を形成したものである。
【０００９】
本発明の請求項２に係る加熱調理器は、前記保持手段を前記枠体に当接された前記天板の外周縁を押える押え部と、該押え部に連設され、取付ネジにより前記枠体に着脱自在に取り付られる固定部とを有する天板保持具としたものである。
【００１０】
本発明の請求項３に係る加熱調理器は、前記天板の外周縁と前記枠体との間にシール用クッション部材を介在させたものである。
【００１１】
本発明の請求項４に係る加熱調理器は、上面に開口を有する本体ケースと、該本体ケース内で開口位置に配設された複数の加熱用コイルと、該本体ケースの上面に配設されるセラミックス材より成る平板状の天板とを備えてなる加熱調理器において、前記天板の外周縁に取付ネジより外径の大きい口径の複数の取付穴を形成し、前記本体ケースに載置可能な枠体に該天板の外周縁を該取付ネジを該取付穴に遊嵌状態に貫通させてネジ止めしたものである。
【００１２】
本発明の請求項５に係る加熱調理器は、前記天板の外周縁と前記枠体との間にシール用クッション部材を介在させたものである。
【００１３】
本発明の請求項６に係る加熱調理器は、前記本体ケースの上面に開口部を閉口する中間プレートを載置固定したものである。
【００１４】
本発明の請求項７に係る加熱調理器は、前記中間プレートをガラス等のセラミックス材としている。
【００１５】
本発明の請求項８に係る加熱調理器は、前記中間プレートを複数のコイル用開口窓を有する導電材の遮断プレートと、遮断プレートの各コイル用開口窓を閉口するガラスで形成されたシール用プレートとで構成している。
【００１６】
本発明の請求項９に係る加熱調理器は、前記天板組立体の枠体の外側端部に該天板組立体の厚さより長くした載置フランジを設け、該載置フランジを流し台に載置させるようにしたものである。
【００１７】
本発明の請求項１０に係る加熱調理器は、前記本体ケース内で中間プレートの直下位置に表示部を配設したものである。
【００１８】
【発明の実施の形態】
実施の形態１．
図１は本発明の実施の形態１に係る加熱調理器を流し台に組み込んだ状態の断面図、図２は同加熱調理器を流し台に組み込んだ状態の斜視図、図３は同加熱調理器の枠体の裏側を示す平面図、図４は同加熱調理器の天板組立体の要部を示す斜視図である。
図において、１は流し台２に組み込まれた加熱調理器である。３は加熱調理器１の上面に開口部を有する上部本体ケース、４は加熱調理器１の下部本体ケース、５は加熱調理器１の後側の左右にそれぞれ設けられ、外気を下部本体ケース４に導入する外気導入路である。６は外気導入路５の吸気口に設けられた吸気カバー、７は下部本体ケースの後側に形成され、外気導入路５の排出口と連通する外気取入口である。
【００１９】
８は下部本体ケース４との仕切壁となる上部本体ケース３の底部に形成された外気連通穴、９は上部本体ケース３の前壁に形成された外気排出口である。１０は下部本体ケース４の側壁に形成された外気排出口である。
１１は下部本体ケース４の前側に設けられたドア１２を有するグリラー、１３は下部本体ケース４の後側に設けられた送風機、１４は下部本体ケース４の真ん中に設けられたトランスや各種電気部品等が搭載された電源基板である。１５ａ、１５ｂはグリラー１１の前方下側に設けられた調理器用操作ツマミ及びグリラー用操作ツマミ、１６はグリラー１１の前方上側に設けられた表示部である。
１７は上部本体ケース３内で後述する中間プレートであるガラス板の直下に配設された電力をランプの点灯具合で表示する出力表示部、１８は上部本体ケース３内で後述する中間プレートであるガラス板の直下に配設されたタイマ時間及び温度を表示する温度・タイマ表示部である。
【００２０】
２１は上部本体ケース３内にそれぞれ配設された３つのコイル保持台、２２は各コイル保持台２１に保持された誘導加熱コイルで、誘導加熱コイルの上面は上部本体ケース３の開口面と面一となっている。２３は上部本体ケース３の底部に設けられた制御用部品が搭載された制御基板である。
２４は上部本体ケース３の外周縁に形成された水平な天板組立体支持部、２５は天板組立体支持部２４から屈曲して延出し、最外縁が下向きのＵ字状の溝を有するクッション取付部、２６はクッション取付部２５の溝に例えば接着剤で固着された本体用クッションである。２７は上部本体ケース３の天板組立体支持部２４の内側に例えばネジ等（図示せず）で固着され、上部本体ケース３の開口を覆う中間プレートである透明なガラス板で、後述する天板３０より薄い板である。
【００２１】
３０はセラミックス材で形成され、調理用鍋が載置される天板、３１は天板３０を保持する断面Ｕ字状で方形の枠体である。この枠体３１の外側壁３１ｂの内面間寸法は上部本体ケース２２のクッション取付部２５の外面間寸法より少し大きく形成され、後述するように天板組立体４１が上部本体ケース２２の天板組立体支持部２４に載置固定されたときに、枠体３１の外側壁３１ｂの内面と上部本体ケース２２のクッション取付部２５の外面との間に小さな隙間ｔ２ができるように構成されている。また、この枠体３１は天板３０の外形状より一回り小さい天板用窓３２を有している。
３３は枠体３１の一辺側に設けられた２つの外気取入口、３４は枠体３１の裏側底部に適宜間隔を置いて取り付けられ、浮上がり板部３４ａにネジ穴３５を有する門型の天板保持受具、３６は押え片３６ａと押え片３６ａに段差を持って連設され、ネジ穴３７を有する固定片３６ｂとからなる保持手段である天板保持具である。３８は取付ネジ、３９は枠体３１の天板用窓３２を構成する内側壁３１ａの内面全周に例えば接着剤で取り付けられた枠状のシール用クッションである。このシール用クッション３９の高さ寸法は枠体３１の内側壁３１の高さより高いものである。
【００２２】
次に、天板３０を枠体３１に取り付けて天板組立体４１を構成し、天板組立体４１を上部本体ケース３に組み込む手順について説明する。
まず、図３に示すように枠体３１を裏返し、天板３０を枠体３１の天板用窓３２を埋めるように枠体３１の内側壁３１ａに載置する。このとき、天板３０の外周縁部が枠体３１の内側壁３１ａの内面全周に取り付けられた枠状のシール用クッション３９に当接する。
次に、図４に示すように枠体３１の裏側底部に取り付けられた各天板保持受具３４の浮上がり板部４ａのネジ穴３５に各天板保持具３６の固定片３６ｂのネジ穴３７を整合させ、各天板保持具３６の押え片３６ａを軟質部材で形成された天板保護用クッション４０を介して天板３０の外周縁に当接させる。
しかる後に、各天板保持具３６の固定片３６ｂのネジ穴３７と各天板保持受具３４の浮上がり板部４ａのネジ穴３５に取付ネジ３８をネジ止めすることにより、枠体３１に天板３０が一体化した天板組立体４１が組み立てられる。
このとき、天板３０の外周端面と天板保冶具３６の押え片３６ａと固定片３６ｂとの段差との間に所定の隙間ｔ１が設けられている。
【００２３】
次に、こうして組み立てられた天板組立体４１の各天板保持具３６の押え片３６ａを上部本体ケース３の天板組立体支持部２４に載置させる。このとき、天板組立体４１の枠体３１の外側壁３１ｂの内面が天板組立体支持部２４から屈曲して延出した最外縁のクッション取付部２５の外面に小さい隙間ｔ２をもって案内されるため、天板組立体４１が上部本体ケース３の天板組立体支持部２４に対して正しく位置決めされて載置されることとなる。
こうして組み立てられた天板組立体４１が上部本体ケース３に組み込まれて誘導加熱調理器１が構成される。そして、このように構成された誘導加熱調理器１は図２に示すように流し台２にセットされる。
なお、流し台２に予め下部本体ケース４及び上部本体ケース３をセットしておき、その上部本体ケース３に天板組立体４１を載置するようにしてもよい。
なお、下部本体ケース４と上部本体ケース３は一体的に形成してもよい。
【００２４】
上記のように構成された誘導加熱調理器１は、グリラー１１の前方下側に設けられた調理器用操作ツマミ１５ａを操作すると、電源基板１４や制御基板２３等が作動を開始して誘導加熱コイル２２に高周波電流の供給を開始する。誘導加熱コイル２２が発生する高周波磁界が天板３０上に載置した調理用鍋（図示省略）に鎖交すると、調理用鍋が誘導加熱され発熱する。こうして調理用鍋内に収容した調理物は調理される。
また、グリラー用操作ツマミ１５ｂを操作すると、制御回路（図示省略）が作動を開始してグリラー１１のヒータに電流の供給を開始し、ヒータが発熱してグリラー１１内の調理部が加熱調理される。
【００２５】
また、誘導加熱調理器１の使用中は、送風機１３が駆動しており、吸気カバー６を介して外気導入路５に取りれられた外気は下部本体ケース４の外気取入口７より下部本体ケース４内に入り送風機１３を経て電源基板１４やグリラー１１を冷却し、外気連通穴８を通って上部本体ケース３内に入り、制御基板２３や誘導加熱コイル２２及び出力表示部１６、温度・タイマ表示部１７を冷却し、上部本体ケース３の外気排出口９，１０から外部に排出される。
【００２６】
このように本発明の実施の形態１の誘導加熱調理器によれば、裏返した枠体３１の内側壁３１ａに天板３０を載置し、枠体３１の裏側底部に取り付けられた各天板保持受具３４の浮上がり板部４ａのネジ穴３５に各天板保持具３６の固定片３６ｂのネジ穴３７を整合させ、各天板保持具３６の押え片３６ａを天板保護用クッション４０を介して天板３０の外周縁に当接させ、各天板保持具３６のネジ穴３７と各天板保持受具３４のネジ穴３５に取付ネジ３８をネジ止めして、枠体３１に天板３０が一体化した天板組立体４１が組み立てられ、その天板組立体４１の各天板保持具３６の押え片３６ａを上部本体ケース３の天板組立体支持部２４に載置させて誘導加熱調理器１を構成するようにしたので、枠体３１に天板３０を一体化した天板組立体４を天板保持受具３４と天板保持具３６と取付ネジ３８を用意するだけで容易に組み立てることができ、その天板組立体４を上部本体ケース３の天板組立体支持部２４に載置させるだけで誘導加熱調理器１を簡単に完成させることができる。
【００２７】
また、枠体３１の内側壁３１ａに天板３０を載置し、天板保冶具３６の押え片３６ａにより天板３０の外周縁が枠体３１に押さえ付けられたときに、天板３０と枠体３１との間にシール用クッション３９があるので、枠体３１により天板３０が傷付くことがなく、天板３０と枠体３１との間に水やゴミ等などが侵入する隙間も生じることがなくシールされる。
さらに、天板３０の外周縁と天板保冶具３６の押え片３６ａとの間には天板保護用クッション４０があるので、天板保冶具３６の押え片３６ａによって天板３０が傷付くこともない。
【００２８】
また、誘導加熱調理器１の天板３０に調理用鍋が当たったり、食器棚等より食器類が落下したり等でヒビや割れが生じ、サービス修理時に天板３０を交換する場合、吸気カバー６を外気導入口５から外し、外気導入口５に手を入れて天板組立体４１を持ち上げることにより、上部本体ケース３から天板組立体４１を簡単に取り除くことができる。そして、単体となった天板組立体４１の天板３０と枠体３１とを固着している取付ネジ３８を緩めることにより、簡単に天板３０と枠体３１とを分離することができるため、天板３０単体の交換を容易に行うことができ、リサイクル処理も容易に行うことができる。
【００２９】
さらに、枠体３１に天板３０を一体化した天板組立体４を天板保持受具３４と天板保持具３６と取付ネジ３８で組み立てた場合に、天板３０の外周端面と天板保冶具３６の押え片３６ａと固定片３６ｂとの段差との間に所定の隙間ｔ１を設けているので、天板３０の一部が直接調理用鍋の高温にさらされ、天板３０が熱膨張を起こし場合に、天板３０の外周縁がその隙間ｔ１寸法分だけ天板保冶具３６の押え片３６ａの押圧面を滑って延びるため、熱膨張により生じた応力が天板保冶具３６の押え片３６ａによる固定部分に集中することがないため、天板３０にヒビや割れを生じさせることもない。特に、加熱部が複数形成されていると、熱膨張が大きい。
また、上部本体ケース３の開口は、天板組立体支持部２４の内側に外周縁が固着された中間プレートである透明なガラス板２７で覆われ、そのガラス板２７の上に天板３０が設けられているので、誘導加熱調理器１の使用中に天板３０にヒビや割れが生じても、上部本体ケース３内に設けられた制御基板等の充電部品に水等が侵入することがガラス板２７により防止される。なお、このガラス板はガラス等より成るセラミックス材でもよい。
【００３０】
実施の形態２．
図５は本発明の実施の形態２に係る加熱調理器の天板組立体を外した状態を示す斜視図、図６は図５のＢ−Ｂ線断面図、図７は同加熱調理器を流し台にセットし、天板組立体を外した状態の要部を示す断面図、図８は同加熱調理器の中間プレートの構成を示す斜視図、図９は図８のＣ−Ｃ線断面図である。
図において、本発明の実施の形態１と同様の構成は同一符号を付して重複した構成の説明を省略する。
この実施の形態２では、中間プレートは実施の形態１のガラス板２７の代わりに導電材で形成された遮断プレート４５と非磁性材で形成されたシール用プレート４６とで構成されている。
【００３１】
この遮断プレート４５は、上部本体ケース３内に配設された３つの誘導加熱コイル２２の上方対応位置にそれぞれ誘導加熱コイル２２の外径より少し大きい口径のコイル用開口窓４７が形成されている。その各コイル用開口窓４７は下向きの折り曲げ部４７ａを有している。その各コイル用開口窓４７をシール用プレート４６を閉口しており、シール用プレート４６の外周縁部は遮断プレート４５に例えば接着剤やネジ（図示せず）で固着されている。
また、この実施の形態２では、コイル保持台２１の周縁部で遮断プレート４５の各コイル用開口窓４７の折り曲げ部４７ａを挟持状態に支持している。
【００３２】
この実施の形態２では、導電材の遮断プレート４５の外周縁が上部本体ケース３の天板組立体支持部２４に載置固定されて接触しているので、誘導加熱調理器１の使用中に加熱された遮断プレート４５の熱を上部本体ケース２３に容易に逃すことができる。
また、シール用プレート４６は非磁性材で形成されているため、その上の天板３０に載置される調理用鍋に対して誘導加熱コイル２２の磁束が悪影響を与えることはない。
さらに、導電材で形成された遮断プレート４５の各コイル用開口窓４７をシール用プレート４６で閉口しており、遮断プレート４５とシール用プレート４６とで中間プレートを構成している。その中間プレートの上に天板３０が設けられているので、誘導加熱調理器１の使用中に天板３０にヒビや割れが生じても、上部本体ケース３内に設けられた制御基板等の充電部品に水等が侵入することが中間プレートにより防止される。
【００３３】
実施の形態３．
図１０は本発明の実施の形態３に係る加熱調理器の天板組立体の天板保冶具を示す斜視図である。
この実施の形態３は実施の形態１と天板保冶具の構成が相違するものである。この実施の形態３の天板保冶具３６はその押え片３６ａの幅方向の中央に凸部４８を設けたものである。
このように、押え片３６ａの幅方向の中央に設けた凸部４８で天板３０の外周縁を直接押さえることにより、天板３０の外周縁は線で押さえられることなり、天板３０が熱膨張したときに容易に延びることができ、天板３０にヒビや割れを生じさせることを防止することができる。この天板保冶具３６をバネ材で構成することで、天板３０を適当な押圧で支持でき。傷付きを防止できる。
【００３４】
実施の形態４．
図１１は本発明の実施の形態４に係る加熱調理器の天板組立体の天板保冶具を示す斜視図である。
この実施の形態４は実施の形態１と天板保冶具の構成が相違するものである。実施の形態１の天板保冶具３６は８個の天板保持受具３４に対応して８個のものとしているが、この実施の形態４の天板保冶具５６は図１１に示すように天板３０の外周縁全体を押さえるように押え部５６ａと固定部５６ｂが枠状に構成されたものである。そして、枠状の固定部５６ｂには天板保持受具３４のネジ穴３５に対応した位置にネジ穴５７が設けられている。
このように、枠状に構成された天板保冶具５６を用いることにより、天板３０の外周縁を均等に、しかも確実に押さえることができる。
【００３５】
実施の形態５．
図１２は本発明の実施の形態５に係る加熱調理器の天板組立体の要部を示す斜視図、図１３は同加熱調理器の天板を示す斜視図である。
この実施の形態５は実施の形態１と異なり、枠体３１の天板保持受具３４に対して天板保冶具３６を用いずに直接に天板３０を組み付けるものである。
天板３０の外周縁に適宜間隔を置いて取付ネジ３８のネジ径より若干大きめの取付穴５８を８個設ける。そして、各天板保持受具３４の浮上がり板部３４ａのネジ穴３５に天板３０の各取付穴５８を整合させ。天板保護用クッション４０及びバネ座金５９を介して取付ネジ３８を各天板保持受具３４のネジ穴３５にネジ止めして枠体３１に天板３０を組み付けている。
【００３６】
このように、天板保冶具３６を用いずに直接に天板３０を枠体３１に取付ネジ３８で組み付け、天板３０の外周縁に設けた取付穴５８は取付ネジ３８のネジ径より若干大きめであるので、天板３０が熱膨張したときに取付穴５８の取付ネジ３８に対する余裕分だけ延びることができ、天板３０にヒビや割れを生じさせることを防止することができる。
また、天板保冶具３６を用いずに直接に天板３０を枠体３１に取付ネジ３８で組み付けるようにしたので、天板３０の取付穴５８の穴加工だけで済み、組み付け費用のコストを低減することもできる。
さらに、取付ネジ３８により天板３０が枠体３１に直接ネジ止めされる場合に、天板３０の外周縁と枠体３１との間にシール用クッション３９が介在させられているので、枠体３１により天板３０が傷付くことがなく、天板３０と枠体３１との間に水やゴミ等などが侵入する隙間も生じることがなくシールされる。
また、取付ネジ３８により天板３０が枠体３１に直接ネジ止めされる場合に、取付ネジ３９の頭部と天板３０の外周縁との間には天板保護用クッション４０があるので、取付ネジ３８の頭部で天板３０が傷付くこともない。
なお、取付ネジ３８の数は８個に限定するものではなく、必要に応じて何個使用しても良い。
【００３７】
実施の形態６．
図１４は本発明の実施の形態６に係る加熱調理器の天板組立体の要部を示す斜視図である。
この実施の形態６は実施の形態１と異なり、枠体３１の天板用窓３２を構成する内側壁３１ａの内面全周に枠状のシール用クッション３９の代わりに、図１４に示すように、チューブ状の耐熱性を有する防水パッキン６０を取り付けたものである。
このように、枠体３１の天板用窓３２を構成する内側壁の内面全周にチューブ状の耐熱性を有する防水パッキン６０を取り付けることにより、チューブの復元力や内部の空気膨張力等によって防水性が増し、枠体３１内への水などの侵入が防止されると共に振動を吸収することができる。
【００３８】
実施の形態７．
図１５は本発明の実施の形態７に係る加熱調理器の天板組立体の要部を示す斜視図である。
この実施の形態７は実施の形態１と異なり、天板組立体４１を流し台２に直接載置するようにしたものである。
この実施の形態７では、断面Ｕ字状で方形の枠体３１の外側壁３１ｂに天板組立体４１の厚さより長くした載置フランジ６１を設け、その載置フランジ６１の先端を載置し易いように横向きに折り曲げてある。
このように、枠体３１の外側壁３１ｂに天板組立体４１の厚さより長くした載置フランジ６１をクッション材７０を介して設けたから、天板３０が枠体３１に組み付けられて構成された天板組立体４１を流し台２に載置すると、枠体３１の外側壁３１ｂに設けた載置フランジ６１が流し台２に支持される。このとき、枠体に天板３０を取り付けた天板保冶具３６の押え片３ａが上部本体ケース３の天板組立体支持部２４から浮き上がっており、上部本体ケース２と一体でないために天板組立体４１を流し台２に容易に組み込むことができる。
【００３９】
実施の形態８．
図１６は本発明の実施の形態８に係る加熱調理器の天板組立体の要部を示す斜視図である。
この実施の形態８は、実施の形態２の遮蔽プレート４５にランプ窓穴４５ａを設け、そのランプ窓穴４５ａにランプカバー６２を埋め込み、ランプカバー６２内に出力表示部１７の表示ランプ６３を配設したものである。
このように、上部本体ケース３に取り付けられた遮蔽プレート４５に設けたランプ窓穴４５ａにランプカバー６２を埋め込み、そのランプカバー６２内に表示ランプ６３を配設し、遮蔽プレート４５側に電気部品である表示ランプ６３を配設し、天板組立体４１側には電気部品である表示ランプ６３やその配線がないため、天板３０を有する天板組立体４１を上部本体ケース３から外しても、充電部が露出しないため、安全である。
【００４０】
実施の形態９．
図１７は本発明の実施の形態９に係る加熱調理器の天板組立体の要部を示す斜視図である。
この実施の形態９は、実施の形態２の遮蔽プレート４５の上に薄いガラス板６４を設け、遮蔽プレート４５にランプ窓穴４５ａを設け、そのランプ窓穴４５ａ内に出力表示部１７の表示ランプ６３を配設したものである。
このように、上部本体ケース３に取り付けられた薄いガラス板６４で覆われた遮蔽プレート４５に設けたランプ窓穴４５ａ内に表示ランプ６３を配設し、遮蔽プレート４５側に電気部品である表示ランプ６３を配設し、天板組立体４１側には電気部品である表示ランプ６３やその配線がないため、天板３０を有する天板組立体４１を上部本体ケース３から外しても、充電部が露出しないため、安全である。
【００４１】
上述した本発明の実施の形態１〜９に係る誘導加熱調理器１は、流し台２に組み込んだ状態で説明しているが、流し台２の上に置いて使用するタイプに当然応用できることは言うまでもない。
また、本発明の実施の形態に係る誘導加熱調理器１は３つの誘導加熱コイル２２を用いたものとして説明しているが、３つの誘導加熱コイル２２のうち、１つ又は２つを電気抵抗加熱コイルとしてもよく、３つの誘導加熱コイル２２に代えて全てを電気抵抗加熱コイルとした加熱調理器としたものについても適用があるとともに、発熱部は２つでも４つでもよく、数は限定されるものではない。
さらに、遮断プレート４５には傾斜面や溝が形成され、万一侵入した水等を所定の安全な例えば本体ケース外の箇所に導くことは可能である。
【００４２】
【発明の効果】
以上のように本発明の請求項１によれば、上面に開口部を有する本体ケースに載置可能な枠体にセラミックス材より成る平板状の天板の外周縁を保持手段により着脱自在に取り付けて天板組立体を形成するようにしたので、保持手段を用いることにより枠体に天板を一体化した天板組立体を容易に組み立てることができ、その天板組立体を本体ケースの上面に載置させるだけで加熱調理器を簡単に完成させることができるという効果がある。
また、天板にヒビや割れが生じて天板を交換する場合に、枠体に天板の外周縁を着脱自在に取り付けている保持手段による保持を解除することにより、簡単に天板と枠体とを分離することができるため、天板単体の交換を容易に行うことができ、異材質の部品を分離するリサイクル処理も容易に行うことができるという効果もある。
【００４３】
本発明の請求項２によれば、枠体に天板の外周縁を着脱自在に取り付けている保持手段は、枠体に当接された天板の外周縁を押える押え部と、該押え部に連設され、取付ネジにより枠体に着脱自在に取り付けられる固定部とを有する天板保持具としているので、押え部と固定部とを有する天板保冶具と取付ネジという簡単な部材の構成で保持手段を形成することができるという効果がある。
【００４４】
本発明の請求項３によれば、天板保冶具と取付ネジとで天板が枠体に保持される場合に、天板の外周縁と枠体との間にシール用クッション部材を介在させられているので、天板保冶具の押え部により天板の外周縁が枠体に押さえ付けられたときに、枠体により天板が傷付くことがなく、天板と枠体との間に水やゴミ等などが侵入する隙間も生じることなくシールされるという効果がある。
【００４５】
本発明の請求項４によれば、天板の外周縁に取付ネジより外径の大きい口径の複数の取付穴を形成し、本体ケースの上面に載置可能な枠体に天板の外周縁を該取付ネジを該取付穴に遊嵌状態に貫通させてネジ止めしたので、天板が熱膨張したときに取付穴の取付ネジに対する余裕分だけ延びることができ、天板にヒビや割れを生じさせることを防止することができ、また天板を枠体に取付ネジで直接組み付けるため、天板の取付穴の穴加工だけで済み、組み付け費用のコストを低減することもできるという効果がある。
【００４６】
本発明の請求項５によれば、取付ネジにより天板が枠体にネジ止めされる場合に、天板の外周縁と枠体との間にシール用クッション部材を介在させられているので、枠体により天板が傷付くことがなく、天板と枠体との間に水やゴミ等などが侵入する隙間も生じることなくシールされるという効果がある。
【００４７】
本発明の請求項６によれば、前記本体ケースの上面に開口部を閉口する中間プレートを載置固定したので、加熱調理器の使用中に天板にヒビや割れが生じても、本体ケース内に設けられた制御基板等の充電部品に水等が侵入することが中間プレートにより防止されるという効果がある。
【００４８】
本発明の請求項７によれば、中間プレートはガラス等より成るセラミックス材としているので、本体ケース内に出力表示部や温度・タイマ表示部を配設することができる。
【００４９】
本発明の請求項８に係る加熱調理器は、中間プレートは複数のコイル用開口窓を有する導電材の遮断プレートと、遮断プレートの各コイル用開口窓を閉口する非磁性材で形成されたシール用プレートとからなり、導電材の遮断プレートの外周縁が本体ケースの上面に載置固定されて接触しているので、加熱調理器の使用中に加熱された遮断プレートの熱を本体ケースに容易に逃がすことができ、また加熱調理器の使用中に天板にヒビや割れが生じても、本体ケース内に設けられた制御基板等の充電部品に水等が侵入することが遮断プレートにより防止されるという効果がある。
また、遮断プレートの各コイル用開口窓を閉口するシール用プレートは非磁性で形成されているため、その上の天板に載置される調理用鍋に対して誘導加熱コイルの磁束が悪影響を与えることはない。
【００５０】
本発明の請求項９によれば、前記天板組立体の枠体の外側端部に該天板組立体の厚さより長くした載置フランジを設け、該載置フランジを流し台に載置させるようにしたので、本体ケースがセットされた流し台に天板組立体の載置フランジを載せるだけなので、加熱調理器を完成させ、かつ加熱調理器を流し台に組み込むことが容易であるという効果がある。
【００５１】
本発明の請求項１０によれば、前記本体ケース内で中間プレートの直下位置に表示部を配設したので、天板組立体には電気配線を無くすることができ、本体ケースに対する天板組立体の組み込み及び分離が容易であるという効果がある。
【図面の簡単な説明】
【図１】本発明の実施の形態１に係る加熱調理器を流し台に組み込んだ状態の断面図である。
【図２】同加熱調理器を流し台に組み込んだ状態の斜視図である。
【図３】同加熱調理器の枠体の裏側を示す平面図である。
【図４】同加熱調理器の天板組立体の要部を示す斜視図である。
【図５】本発明の実施の形態２に係る加熱調理器の天板組立体を外した状態を示す斜視図である。
【図６】図５のＡ−Ａ線断面図である。
【図７】同加熱調理器を流し台にセットし、天板組立体を外した状態の要部を示す断面図である。
【図８】同加熱調理器の中間プレートの構成を示す斜視図である。
【図９】図８のＢ−Ｂ線断面図である。
【図１０】本発明の実施の形態３に係る加熱調理器の天板組立体の天板保冶具を示す斜視図である。
【図１１】本発明の実施の形態４に係る加熱調理器の天板組立体の天板保冶具を示す斜視図である。
【図１２】本発明の実施の形態５に係る加熱調理器の天板組立体の要部を示す斜視図である。
【図１３】同加熱調理器の天板を示す斜視図である。
【図１４】本発明の実施の形態６に係る加熱調理器の天板組立体の要部を示す斜視図である。
【図１５】本発明の実施の形態７に係る加熱調理器の天板組立体の要部を示す斜視図である。
【図１６】本発明の実施の形態８に係る加熱調理器の天板組立体の要部を示す斜視図である。
【図１７】本発明の実施の形態９に係る加熱調理器の天板組立体の要部を示す斜視図である。
【図１８】従来の誘導加熱調理器の側断面図である。
【符号の説明】
１　誘導加熱調理器、２　流し台、３　上部本体ケース、４　下部本体ケース、２２　誘導加熱コイル、３０　天板、３１　枠体、３４　天板保持受具、３６天板保冶具、３８　取付ネジ。
【図１】
2004055245.tif 000003
【図２】
2004055245.tif 000004
【図３】
2004055245.tif 000005
【図４】
2004055245.tif 000006
【図５】
2004055245.tif 000007
【図６】
2004055245.tif 000008
【図７】
2004055245.tif 000009
【図８】
2004055245.tif 000010
【図９】
2004055245.tif 000011
【図１０】
2004055245.tif 000012
【図１１】
2004055245.tif 000013
【図１２】
2004055245.tif 000014
【図１３】
2004055245.tif 000015
【図１４】
2004055245.tif 000016
【図１５】
2004055245.tif 000017
【図１６】
2004055245.tif 000018
【図１７】
2004055245.tif 000019
【図１８】
2004055245.tif 000020